(57)【要約】【課題】薬剤を一つまたは二つ以上の薬格納部に一回の服用分ずつ包装し、当該薬格納部の蓋の開閉を記録することで患者の薬剤服用状況を把握することのできる薬格納器、薬格納器管理装置、薬格納器管理システム、および、薬格納器管理方法を提供することを課題とする。【解決手段】本発明にかかる薬格納器は、一つまたは二つ以上の薬格納部に格納された薬を密封するための一つまたは二つ以上の蓋部の開閉を検出し、当該検出された蓋部の開閉状態を示す開閉信号を発生し、日時を計時し、発生された開閉信号の発生日時情報を計時し、当該発生日時情報を蓋部の開閉日時情報として記憶部に記憶させる。【選択図】      図２
2004283248.tif 000002
【特許請求の範囲】
【請求項１】
一つまたは二つ以上の薬格納部に格納された薬を密封するための一つまたは二つ以上の蓋部の開閉を検出し、当該検出された上記蓋部の開閉状態を示す開閉信号を発生する開閉信号発生手段と、
日時を計時する計時手段と、
上記開閉信号発生手段により発生された上記開閉信号の発生日時情報を上記計時手段にて計時し、当該発生日時情報を上記蓋部の開閉日時情報として記憶部に記憶させる開閉日時情報記憶手段と、を備えたことを特徴とする薬格納器。
【請求項２】
上記開閉信号の発生元の上記蓋部の情報を上記開閉日時情報と対応付けて上記記憶部に記憶させる蓋部情報記憶手段、をさらに備えたことを特徴とする請求項１に記載の薬格納器。
【請求項３】
服薬の日時を示す服薬日時情報を上記記憶部に記憶させる服薬日時情報記憶手段と、
上記服薬日時情報記憶手段により記憶された上記服薬日時情報に基づいて鳴動信号を発生する鳴動信号発生手段と、
上記鳴動信号発生手段により発生された鳴動信号に基づいて鳴動する鳴動手段と、をさらに備えたことを特徴とする請求項１または２に記載の薬格納器。
【請求項４】
上記服薬日時情報記憶手段により記憶された上記服薬日時情報に基づいて服薬要求情報送信依頼信号を発生する服薬要求情報送信依頼信号発生手段と、
上記服薬要求情報送信依頼信号発生手段により発生された上記服薬要求情報送信依頼信号に基づいて、服薬要求情報を送信する服薬要求情報送信手段と、をさらに備えたことを特徴とする請求項１から３のいずれか一つに記載の薬格納器。
【請求項５】
薬格納器と薬格納器管理装置とをネットワークを介して通信可能に接続した薬格納器管理システムであって、
上記薬格納器は、
一つまたは二つ以上の薬格納部に格納された薬を密封するための一つまたは二つ以上の蓋部の開閉を検出し、当該検出された上記蓋部の開閉状態を示す開閉信号を発生する開閉信号発生手段と、
日時を計時する計時手段と、
上記開閉信号発生手段により発生された上記開閉信号の発生日時情報を上記計時手段にて計時し、当該発生日時情報を上記蓋部の開閉日時情報として記憶部に記憶させる開閉日時情報記憶手段と、
上記記憶部に記憶された上記開閉日時情報および上記蓋部の情報を上記薬格納器管理装置に送信する送信手段と、を備え、
上記薬格納器管理装置は、
上記送信手段により送信された上記開閉日時情報および上記蓋部の情報を上記薬格納器より受信する受信手段と、
上記受信手段により受信された上記開閉日時情報および上記蓋部の情報に基づいて上記薬格納器を持った患者の服薬情報を作成する服薬情報作成手段と、を備えたことを特徴とする薬格納器管理システム。
【請求項６】
上記薬格納器は、
上記開閉信号の発生元の上記蓋部の情報を上記開閉日時情報と対応付けて上記記憶部に記憶させる蓋部情報記憶手段、をさらに備えたことを特徴とする請求項５に記載の薬格納器管理システム。
【請求項７】
上記薬格納器は、
服薬の日時を示す服薬日時情報を記憶させる服薬日時情報記憶手段と、
上記服薬日時情報記憶手段により記憶された上記服薬日時情報に基づいて鳴動信号を発生する鳴動信号発生手段と、上記鳴動信号発生手段により発生された鳴動信号に基づいて鳴動する鳴動手段と、をさらに備えたことを特徴とする請求項５または６に記載の薬格納器管理システム。
【請求項８】
上記薬格納器は、
上記服薬日時情報記憶手段により記憶された上記服薬日時情報に基づいて服薬要求情報送信依頼信号を発生する服薬要求情報送信依頼信号発生手段と、
上記服薬要求情報送信依頼信号発生手段により発生された上記服薬要求情報送信依頼信号に基づいて、服薬要求情報を送信する服薬要求情報送信手段と、をさらに備えたことを特徴とする請求項５から７のいずれか一つに記載の薬格納器管理システム。
【請求項９】
薬格納器と薬格納器管理装置とをネットワークを介して通信可能に接続した薬格納器管理システムを用いて実行される薬格納器管理方法であって、
上記薬格納器において、一つまたは二つ以上の薬格納部に格納された薬を密封するための一つまたは二つ以上の蓋部の開閉を検出し、当該検出された上記蓋部の開閉状態を示す開閉信号を発生する開閉信号発生ステップと、
上記薬格納器において、上記開閉信号発生ステップにより発生された上記開閉信号の発生日時情報を計時し、当該発生日時情報を上記蓋部の開閉日時情報として記憶部に記憶させる開閉日時情報記憶ステップと、
上記薬格納器において、上記記憶部に記憶された上記開閉日時情報および上記蓋部の情報を上記薬格納器管理装置に送信する送信ステップと、
上記薬格納器管理装置において、上記送信ステップにより送信された上記開閉日時情報および上記蓋部の情報を上記薬格納器より受信する受信ステップと、
上記薬格納器管理装置において、上記受信ステップにより受信された上記開閉日時情報および上記蓋部の情報に基づいて上記薬格納器を持った患者の服薬情報を作成する服薬情報作成ステップと、を含むことを特徴とする薬格納器管理方法。
【請求項１０】
上記薬格納器において、上記開閉信号の発生元の上記蓋部の情報を上記開閉日時情報と対応付けて上記記憶部に記憶させる蓋部情報記憶ステップ、をさらに含むことを特徴とする請求項９に記載の薬格納器管理方法。
【請求項１１】
上記薬格納器において、服薬の日時を示す服薬日時情報を記憶させる服薬日時情報記憶ステップと、
上記薬格納器において、上記服薬日時情報記憶ステップにより記憶された上記服薬日時情報に基づいて鳴動信号を発生する鳴動信号発生ステップと、
上記薬格納器において、上記鳴動信号発生ステップにより発生された鳴動信号に基づいて鳴動する鳴動ステップと、をさらに含むことを特徴とする請求項９または１０に記載の薬格納器管理方法。
【請求項１２】
上記薬格納器において、上記服薬日時情報記憶ステップにより記憶された上記服薬日時情報に基づいて服薬要求情報送信依頼信号を発生する服薬要求情報送信依頼信号発生ステップと、
上記薬格納器において、上記服薬要求情報送信依頼信号発生ステップにより発生された上記服薬要求情報送信依頼信号に基づいて、服薬要求情報を送信する服薬要求情報送信ステップと、をさらに含むことを特徴とする請求項９から１１のいずれか一つに記載の薬格納器管理方法。
【請求項１３】
一つまたは二つ以上の薬格納部に格納された薬を密封するための一つまたは二つ以上の蓋部を備え、患者を識別する情報と、薬を識別する情報と、上記服薬日時情報のうち少なくとも一つを含む服薬用識別情報を上記蓋部に表示すること、を特徴とする薬格納器。
【請求項１４】
上記表示は、上記蓋部に上記服薬用識別情報を直接印刷することにより表示すること、を特徴とする請求項１３に記載の薬格納器。
【請求項１５】
上記表示は、印刷された上記服薬用識別情報を上記蓋部に貼付することにより表示すること、を特徴とする請求項１３に記載の薬格納器。
【請求項１６】
上記服薬用識別情報は、バーコード形式で表された情報であること、を特徴とする請求項１３から１５のいずれか一つに記載の薬格納器。
【請求項１７】
一つまたは二つ以上の薬格納部に格納された薬を密封するための一つまたは二つ以上の蓋部を備え、患者を識別する情報と、薬を識別する情報と、上記服薬日時情報のうち少なくとも一つを含む服薬用識別情報を上記蓋部に表示する薬格納器から、上記服薬用識別情報を検出する服薬用識別情報検出手段と、
上記服薬用識別情報検出手段により検出された上記服薬用識別情報から服薬情報を作成する服薬情報作成手段と、を備えたことを特徴とする薬格納器管理装置。
【請求項１８】
上記服薬用識別情報検出手段は光学式リーダー装置を用いて上記服薬用識別情報を検出すること、を特徴とする請求項１７に記載の薬格納器管理装置。
【請求項１９】
上記表示は、上記蓋部に上記服薬用識別情報を直接印刷することにより表示すること、を特徴とする請求項１７に記載の薬格納器管理装置。
【請求項２０】
上記表示は、印刷された上記服薬用識別情報を上記蓋部に貼付することにより表示すること、を特徴とする請求項１７に記載の薬格納器管理装置。
【請求項２１】
上記服薬用識別情報は、バーコード形式で表された情報であること、を特徴とする請求項１７から２０のいずれか一つに記載の薬格納器管理装置。
【請求項２２】
一つまたは二つ以上の薬格納部に格納された薬を密封するための一つまたは二つ以上の蓋部を備え、患者を識別する情報と、薬を識別する情報と、上記服薬日時情報のうち少なくとも一つを含む服薬用識別情報を上記蓋部に表示する薬格納器から、上記服薬用識別情報を検出する服薬用識別情報検出ステップと、
上記服薬用識別情報検出ステップにより検出された上記服薬用識別情報から服薬情報を作成する服薬情報作成ステップと、を含むことを特徴とする薬格納器管理方法。
【請求項２３】
上記服薬用識別情報検出ステップは光学式リーダー装置を用いて上記服薬用識別情報を検出すること、を特徴とする請求項２２に記載の薬格納器管理方法。
【請求項２４】
上記表示は、上記蓋部に上記服薬用識別情報を直接印刷することにより表示すること、を特徴とする請求項２２に記載の薬格納器管理方法。
【請求項２５】
上記表示は、印刷された上記服薬用識別情報を上記蓋部に貼付することにより表示すること、を特徴とする請求項２２に記載の薬格納器管理方法。
【請求項２６】
上記服薬用識別情報は、バーコード形式で表された情報であること、を特徴とする請求項２２から２５のいずれか一つに記載の薬格納器管理方法。
【発明の詳細な説明】
【０００１】
【発明の属する技術分野】
本発明は、薬格納器、薬格納器管理装置、薬格納器管理システム、および、薬格納器管理方法に関し、特に、薬剤を一つまたは二つ以上の薬格納部に一回の服用分ずつ包装し、当該薬格納部の蓋の開閉を記録することで患者の薬剤服用状況を把握することのできる薬格納器、薬格納器管理装置、薬格納器管理システム、および、薬格納器管理方法に関する。
【０００２】
【従来の技術】
現在、薬剤応答性などのＥＢＭ（Ｅｖｉｄｅｎｃｅ  Ｂａｓｅｄ  Ｍｅｄｉｃｉｎｅ：証拠に基づいた医療）を行うために、研究が進展しつつある。
【０００３】
そして、この研究においては、患者が決められた日時に確実に服薬していることがデータの信頼性の点において非常に重要になる。
【０００４】
【発明が解決しようとする課題】
しかしながら、患者が確実に服薬したか否かを簡易な手法で記録する手立てがないため、統計学上意味のある証拠を集めることができないという問題点がある。
【０００５】
また、患者の服薬状況を記録するためには多大なコストがかかるという問題点がある。
【０００６】
このように、従来のシステム等は数々の問題点を有しており、その結果、システムの利用者および管理者のいずれにとっても、利便性が悪く、また、利用効率が悪いものであった。
【０００７】
本発明は上記問題点に鑑みてなされたもので、薬剤を一つまたは二つ以上の薬格納部に一回の服用分ずつ包装し、当該薬格納部の蓋の開閉を記録することで患者の薬剤服用状況を把握することのできる薬格納器、薬格納器管理装置、薬格納器管理システム、および、薬格納器管理方法を提供することを目的としている。
【０００８】
【課題を解決するための手段】
このような目的を達成するために、請求項１に記載の薬格納器は、一つまたは二つ以上の薬格納部に格納された薬を密封するための一つまたは二つ以上の蓋部の開閉を検出し、当該検出された上記蓋部の開閉状態を示す開閉信号を発生する開閉信号発生手段と、日時を計時する計時手段と、上記開閉信号発生手段により発生された上記開閉信号の発生日時情報を上記計時手段にて計時し、当該発生日時情報を上記蓋部の開閉日時情報として記憶部に記憶させる開閉日時情報記憶手段とを備えたことを特徴とする。
【０００９】
この薬格納器によれば、一つまたは二つ以上の薬格納部に格納された薬を密封するための一つまたは二つ以上の蓋部の開閉を検出し、当該検出された蓋部の開閉状態を示す開閉信号を発生し、日時を計時し、発生された開閉信号の発生日時情報を計時し、当該発生日時情報を蓋部の開閉日時情報として記憶部に記憶させるので、患者に負担をかけることなく開閉日時情報を簡易に記憶することができる。
【００１０】
また、請求項２に記載の薬格納器は、請求項１に記載の薬格納器において、上記開閉信号の発生元の上記蓋部の情報を上記開閉日時情報と対応付けて上記記憶部に記憶させる蓋部情報記憶手段をさらに備えたことを特徴とする。
【００１１】
この薬格納器によれば、開閉信号の発生元の蓋部の情報を開閉日時情報と対応付けて記憶部に記憶させるので、二つ以上の薬格納部を持つ薬格納器においても、開閉日時情報および蓋部の情報を簡易に記憶することができる。
【００１２】
また、請求項３に記載の薬格納器は、請求項１または２に記載の薬格納器において、服薬の日時を示す服薬日時情報を上記記憶部に記憶させる服薬日時情報記憶手段と、上記服薬日時情報記憶手段により記憶された上記服薬日時情報に基づいて鳴動信号を発生する鳴動信号発生手段と、上記鳴動信号発生手段により発生された鳴動信号に基づいて鳴動する鳴動手段とをさらに備えたことを特徴とする。
【００１３】
この薬格納器によれば、服薬の日時を示す服薬日時情報を記憶部に記憶させ、記憶された服薬日時情報に基づいて鳴動信号を発生し、発生された鳴動信号に基づいて鳴動するので、患者の服薬の忘れを効果的に防ぐことができる。
【００１４】
また、請求項４に記載の薬格納器は、請求項１から３のいずれか一つに記載の薬格納器において、上記服薬日時情報記憶手段により記憶された上記服薬日時情報に基づいて服薬要求情報送信依頼信号を発生する服薬要求情報送信依頼信号発生手段と、上記服薬要求情報送信依頼信号発生手段により発生された上記服薬要求情報送信依頼信号に基づいて、服薬要求情報を送信する服薬要求情報送信手段とをさらに備えたことを特徴とする。
【００１５】
この薬格納器によれば、記憶された服薬日時情報に基づいて服薬要求情報送信依頼信号を発生し、発生された服薬要求情報送信依頼信号に基づいて、服薬要求情報を送信するので、携帯端末装置（例えば、ページャ、ＰＨＳ、携帯電話、ＰＤＡなど）にメール等で服薬要求情報を通知し鳴動させることにより、患者の服薬の忘れを効果的に防ぐことができる。
【００１６】
また、本発明は薬格納器管理システムに関するものであり、請求項５に記載の薬格納器管理システムは、薬格納器と薬格納器管理装置とをネットワークを介して通信可能に接続した薬格納器管理システムであって、上記薬格納器は、一つまたは二つ以上の薬格納部に格納された薬を密封するための一つまたは二つ以上の蓋部の開閉を検出し、当該検出された上記蓋部の開閉状態を示す開閉信号を発生する開閉信号発生手段と、日時を計時する計時手段と、上記開閉信号発生手段により発生された上記開閉信号の発生日時情報を上記計時手段にて計時し、当該発生日時情報を上記蓋部の開閉日時情報として記憶部に記憶させる開閉日時情報記憶手段と、上記記憶部に記憶された上記開閉日時情報および上記蓋部の情報を上記薬格納器管理装置に送信する送信手段とを備え、上記薬格納器管理装置は、上記送信手段により送信された上記開閉日時情報および上記蓋部の情報を上記薬格納器より受信する受信手段と、上記受信手段により受信された上記開閉日時情報および上記蓋部の情報に基づいて上記薬格納器を持った患者の服薬情報を作成する服薬情報作成手段とを備えたことを特徴とする。
【００１７】
このシステムによれば、薬格納器は、一つまたは二つ以上の薬格納部に格納された薬を密封するための一つまたは二つ以上の蓋部の開閉を検出し、当該検出された蓋部の開閉状態を示す開閉信号を発生し、日時を計時し、発生された開閉信号の発生日時情報を計時し、当該発生日時情報を蓋部の開閉日時情報として記憶部に記憶させ、記憶部に記憶された開閉日時情報および蓋部の情報を薬格納器管理装置に送信し、薬格納器管理装置は、送信された開閉日時情報および蓋部の情報を薬格納器より受信し、受信された開閉日時情報および蓋部の情報に基づいて薬格納器を持った患者の服薬情報を作成するので、患者に負担をかけることなく服薬情報を簡易に収集することができる。
【００１８】
また、患者としては、服薬情報が正確に把握されることで、より状況に適した治療を受けることができる。
【００１９】
また、請求項６に記載の薬格納器管理システムは、請求項５に記載の薬格納器管理システムにおいて、上記薬格納器は、上記開閉信号の発生元の上記蓋部の情報を上記開閉日時情報と対応付けて上記記憶部に記憶させる蓋部情報記憶手段をさらに備えたことを特徴とする。
【００２０】
このシステムによれば、薬格納器は、開閉信号の発生元の蓋部の情報を開閉日時情報と対応付けて記憶部に記憶させるので、二つ以上の薬格納部を持つ薬格納器においても、開閉日時情報および蓋部の情報を簡易に記憶することができる。
【００２１】
また、請求項７に記載の薬格納器管理システムは、請求項５または６に記載の薬格納器管理システムにおいて、上記薬格納器は、服薬の日時を示す服薬日時情報を記憶させる服薬日時情報記憶手段と、上記服薬日時情報記憶手段により記憶された上記服薬日時情報に基づいて鳴動信号を発生する鳴動信号発生手段と、上記鳴動信号発生手段により発生された鳴動信号に基づいて鳴動する鳴動手段とをさらに備えたことを特徴とする。
【００２２】
このシステムによれば、薬格納器は、服薬の日時を示す服薬日時情報を記憶させ、記憶された服薬日時情報に基づいて鳴動信号を発生し、発生された鳴動信号に基づいて鳴動するので、患者の服薬の忘れを効果的に防ぐことができる。
【００２３】
また、請求項８に記載の薬格納器管理システムは、請求項５から７のいずれか一つに記載の薬格納器管理システムにおいて、上記薬格納器は、上記服薬日時情報記憶手段により記憶された上記服薬日時情報に基づいて服薬要求情報送信依頼信号を発生する服薬要求情報送信依頼信号発生手段と、上記服薬要求情報送信依頼信号発生手段により発生された上記服薬要求情報送信依頼信号に基づいて、服薬要求情報を送信する服薬要求情報送信手段とをさらに備えたことを特徴とする。
【００２４】
このシステムによれば、薬格納器は、記憶された服薬日時情報に基づいて服薬要求情報送信依頼信号を発生し、発生された服薬要求情報送信依頼信号に基づいて、服薬要求情報を送信するので、携帯端末装置（例えば、ページャ、ＰＨＳ、携帯電話、ＰＤＡなど）にメール等で服薬要求情報を通知し鳴動させることにより、患者の服薬の忘れを効果的に防ぐことができる。
【００２５】
また、本発明は薬格納器管理方法に関するものであり、請求項９に記載の薬格納器管理方法は、薬格納器と薬格納器管理装置とをネットワークを介して通信可能に接続した薬格納器管理システムを用いて実行される薬格納器管理方法であって、上記薬格納器において、一つまたは二つ以上の薬格納部に格納された薬を密封するための一つまたは二つ以上の蓋部の開閉を検出し、当該検出された上記蓋部の開閉状態を示す開閉信号を発生する開閉信号発生ステップと、上記薬格納器において、上記開閉信号発生ステップにより発生された上記開閉信号の発生日時情報を計時し、当該発生日時情報を上記蓋部の開閉日時情報として記憶部に記憶させる開閉日時情報記憶ステップと、上記薬格納器において、上記記憶部に記憶された上記開閉日時情報および上記蓋部の情報を上記薬格納器管理装置に送信する送信ステップと、上記薬格納器管理装置において、上記送信ステップにより送信された上記開閉日時情報および上記蓋部の情報を上記薬格納器より受信する受信ステップと、上記薬格納器管理装置において、上記受信ステップにより受信された上記開閉日時情報および上記蓋部の情報に基づいて上記薬格納器を持った患者の服薬情報を作成する服薬情報作成ステップとを含むことを特徴とする。
【００２６】
この方法によれば、薬格納器において、一つまたは二つ以上の薬格納部に格納された薬を密封するための一つまたは二つ以上の蓋部の開閉を検出し、当該検出された蓋部の開閉状態を示す開閉信号を発生し、薬格納器において、発生された開閉信号の発生日時情報を計時し、当該発生日時情報を蓋部の開閉日時情報として記憶部に記憶させ、薬格納器において、記憶部に記憶された開閉日時情報および蓋部の情報を薬格納器管理装置に送信し、薬格納器管理装置において、送信された開閉日時情報および蓋部の情報を薬格納器より受信し、薬格納器管理装置において、受信された開閉日時情報および蓋部の情報に基づいて薬格納器を持った患者の服薬情報を作成するので、患者に負担をかけることなく服薬情報を簡易に収集することができる。
【００２７】
また、患者としては、服薬情報が正確に把握されることで、より状況に適した治療を受けることができる。
【００２８】
また、請求項１０に記載の薬格納器管理方法は、請求項９に記載の薬格納器管理方法において、上記薬格納器において、上記開閉信号の発生元の上記蓋部の情報を上記開閉日時情報と対応付けて上記記憶部に記憶させる蓋部情報記憶ステップをさらに含むことを特徴とする。
【００２９】
この方法によれば、薬格納器において、開閉信号の発生元の蓋部の情報を開閉日時情報と対応付けて記憶部に記憶させるので、二つ以上の薬格納部を持つ薬格納器においても、開閉日時情報および蓋部の情報を簡易に記憶することができる。
【００３０】
また、請求項１１に記載の薬格納器管理方法は、請求項９または１０に記載の薬格納器管理方法において、上記薬格納器において、服薬の日時を示す服薬日時情報を記憶させる服薬日時情報記憶ステップと、上記薬格納器において、上記服薬日時情報記憶ステップにより記憶された上記服薬日時情報に基づいて鳴動信号を発生する鳴動信号発生ステップと、上記薬格納器において、上記鳴動信号発生ステップにより発生された鳴動信号に基づいて鳴動する鳴動ステップとをさらに含むことを特徴とする。
【００３１】
この方法によれば、薬格納器において、服薬の日時を示す服薬日時情報を記憶させ、薬格納器において、記憶された服薬日時情報に基づいて鳴動信号を発生し、薬格納器において、発生された鳴動信号に基づいて鳴動するので、患者の服薬の忘れを効果的に防ぐことができる。
【００３２】
また、請求項１２に記載の薬格納器管理方法は、請求項９から１１のいずれか一つに記載の薬格納器管理方法において、上記薬格納器において、上記服薬日時情報記憶手段により記憶された上記服薬日時情報に基づいて服薬要求情報送信依頼信号を発生する服薬要求情報送信依頼信号発生手段と、上記薬格納器において、上記服薬要求情報送信依頼信号発生手段により発生された上記服薬要求情報送信依頼信号に基づいて、服薬要求情報を送信する服薬要求情報送信手段とをさらに備えたことを特徴とする。
【００３３】
この方法によれば、薬格納器において、記憶された服薬日時情報に基づいて服薬要求情報送信依頼信号を発生し、薬格納器において、発生された服薬要求情報送信依頼信号に基づいて、服薬要求情報を送信するので、携帯端末装置（例えば、ページャ、ＰＨＳ、携帯電話、ＰＤＡなど）にメール等で服薬要求情報を通知し鳴動させることにより、患者の服薬の忘れを効果的に防ぐことができる。
【００３４】
また、本発明は薬格納器に関するものであり、請求項１３に記載の薬格納器は、一つまたは二つ以上の薬格納部に格納された薬を密封するための一つまたは二つ以上の蓋部を備え、患者を識別する情報と、薬を識別する情報と、上記服薬日時情報のうち少なくとも一つを含む服薬用識別情報を上記蓋部に表示することを特徴とする。
【００３５】
この薬格納器によれば、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示するので、患者は服薬用識別情報を容易に確認することができる。
【００３６】
また、請求項１４に記載の薬格納器は、請求項１３に記載の薬格納器において、上記表示は、上記蓋部に上記服薬用識別情報を直接印刷することにより表示することを特徴とする。
【００３７】
これは表示の一例を一層具体的に示すものである。この薬格納器によれば、蓋部に服薬用識別情報を直接印刷することにより表示するので、服薬用識別情報を簡易に表示することができる。
【００３８】
また、請求項１５に記載の薬格納器は、請求項１３に記載の薬格納器において、上記表示は、印刷された上記服薬用識別情報を上記蓋部に貼付することにより表示することを特徴とする。
【００３９】
これは表示の一例を一層具体的に示すものである。この薬格納器によれば、印刷された服薬用識別情報を蓋部に貼付することにより表示するので、服薬用識別情報を簡易に表示することができる。
【００４０】
また、請求項１６に記載の薬格納器は、請求項１３から１５のいずれか一つに記載の薬格納器において、上記服薬用識別情報は、バーコード形式で表された情報であることを特徴とする。
【００４１】
これは服薬用識別情報の一例を一層具体的に示すものである。この薬格納器によれば、バーコード形式で表された情報であるので、既存のバーコード読取装置を用いて服薬用識別情報を簡易に収集することができる。
【００４２】
また、本発明は薬格納器管理装置に関するものであり、請求項１７に記載の薬格納器管理装置は、一つまたは二つ以上の薬格納部に格納された薬を密封するための一つまたは二つ以上の蓋部を備え、患者を識別する情報と、薬を識別する情報と、上記服薬日時情報のうち少なくとも一つを含む服薬用識別情報を上記蓋部に表示する薬格納器から、上記服薬用識別情報を検出する服薬用識別情報検出手段と、上記服薬用識別情報検出手段により検出された上記服薬用識別情報から服薬情報を作成する服薬情報作成手段とを備えたことを特徴とする。
【００４３】
この装置によれば、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示する薬格納器から、服薬用識別情報を検出し、検出された服薬用識別情報から服薬情報を作成するので、患者に負担をかけることなく服薬情報を簡易に収集することができる。
【００４４】
また、患者としては、服薬情報が正確に把握されることで、より状況に適した治療を受けることができる。
【００４５】
また、請求項１８に記載の薬格納器管理装置は、請求項１７に記載の薬格納器管理装置において、上記服薬用識別情報検出手段は光学式リーダー装置を用いて上記服薬用識別情報を検出することを特徴とする。
【００４６】
これは服薬用識別情報検出手段の一例を一層具体的に示すものである。この装置によれば、光学式リーダー装置を用いて服薬用識別情報を検出するので、正確に服薬用識別情報を検出することができる。
【００４７】
また、請求項１９に記載の薬格納器管理装置は、請求項１７に記載の薬格納器管理装置において、上記表示は、上記蓋部に上記服薬用識別情報を直接印刷することにより表示することを特徴とする。
【００４８】
これは表示の一例を一層具体的に示すものである、この装置によれば、蓋部に服薬用識別情報を直接印刷することにより表示するので、服薬用識別情報を簡易に表示することができる。
【００４９】
また、請求項２０に記載の薬格納器管理装置は、請求項１７に記載の薬格納器管理装置において、上記表示は、印刷された上記服薬用識別情報を上記蓋部に貼付することにより表示することを特徴とする。
【００５０】
これは表示の一例を一層具体的に示すものである、この装置によれば、印刷された服薬用識別情報を蓋部に貼付することにより表示するので、服薬用識別情報を簡易に表示することができる。
【００５１】
また、請求項２１に記載の薬格納器管理装置は、請求項１７から２０のいずれか一つに記載の薬格納器管理装置において、上記服薬用識別情報は、バーコード形式で表された情報であることを特徴とする。
【００５２】
これは服薬用識別情報の一例を一層具体的に示すものである。この装置によれば、バーコード形式で表された情報であるので、既存のバーコード読取装置を用いて服薬用識別情報を簡易に収集することができる。
【００５３】
また、本発明は薬格納器管理方法に関するものであり、請求項２２に記載の薬格納器管理方法は、一つまたは二つ以上の薬格納部に格納された薬を密封するための一つまたは二つ以上の蓋部を備え、患者を識別する情報と、薬を識別する情報と、上記服薬日時情報のうち少なくとも一つを含む服薬用識別情報を上記蓋部に表示する薬格納器から、上記服薬用識別情報を検出する服薬用識別情報検出ステップと、上記服薬用識別情報検出ステップにより検出された上記服薬用識別情報から服薬情報を作成する服薬情報作成ステップとを含むことを特徴とする。
【００５４】
この方法によれば、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示する薬格納器から、服薬用識別情報を検出し、検出された服薬用識別情報から服薬情報を作成するので、患者に負担をかけることなく服薬情報を簡易に収集することができる。
【００５５】
また、患者としては、服薬情報が正確に把握されることで、より状況に適した治療を受けることができる。
【００５６】
また、請求項２３に記載の薬格納器管理方法は、請求項２２に記載の薬格納器管理方法において、上記服薬用識別情報検出ステップは光学式リーダー装置を用いて上記服薬用識別情報を検出することを特徴とする。
【００５７】
これは服薬用識別情報検出ステップの一例を一層具体的に示すものである。この方法によれば、光学式リーダー装置を用いて服薬用識別情報を検出するので、正確に服薬用識別情報を検出することができる。
【００５８】
また、請求項２４に記載の薬格納器管理方法は、請求項２２に記載の薬格納器管理方法において、上記表示は、上記蓋部に上記服薬用識別情報を直接印刷することにより表示することを特徴とする。
【００５９】
これは表示の一例を一層具体的に示すものである。この方法によれば、蓋部に服薬用識別情報を直接印刷することにより表示するので、服薬用識別情報を簡易に表示することができる。
【００６０】
また、請求項２５に記載の薬格納器管理方法は、請求項２２に記載の薬格納器管理方法において、上記表示は、印刷された上記服薬用識別情報を上記蓋部に貼付することにより表示することを特徴とする。
【００６１】
これは表示の一例を一層具体的に示すものである。この方法によれば、印刷された服薬用識別情報を蓋部に貼付することにより表示するので、服薬用識別情報を簡易に表示することができる。
【００６２】
また、請求項２６に記載の薬格納器管理方法は、請求項２２から２５のいずれか一つに記載の薬格納器管理方法において、上記服薬用識別情報は、バーコード形式で表された情報であることを特徴とする。
【００６３】
これは服薬用識別情報の一例を一層具体的に示すものである。この方法によれば、バーコード形式で表された情報であるので、既存のバーコード読取装置を用いて服薬用識別情報を簡易に収集することができる。
【００６４】
【発明の実施の形態】
以下に、本発明にかかる薬格納器、薬格納器管理装置、薬格納器管理システム、および、薬格納器管理方法の実施の形態を図面に基づいて詳細に説明する。なお、この実施の形態によりこの発明が限定されるものではない。
【００６５】
第１実施形態
［本発明の概要］
以下、本発明の第１実施形態の概要について説明し、その後、本発明の第１実施形態の構成および処理等について詳細に説明する。図１は本発明の第１実施形態における薬格納器管理システムの概要を示す図であり、該概要のうち本発明に関係する部分のみを概念的に示している。
【００６６】
本発明の第１実施形態は、概略的に、以下の基本的特徴を有する。すなわち、図１に示すように、本発明の第１実施形態における薬格納器管理システムは、概略的に、薬格納器１１００と、薬格納器管理装置２１００と、携帯端末装置１４００とを、ネットワーク１３００を介して通信可能に接続して構成される。
【００６７】
まず、薬格納器１１００は、一つまたは二つ以上の薬格納部に格納された薬を密封するための一つまたは二つ以上の蓋部の開閉を検出し、当該検出された蓋部の開閉状態を示す開閉信号を発生し、発生された開閉信号の発生日時情報を計時し、当該発生日時情報を蓋部の開閉日時情報として記憶部に記憶させ、記憶部に記憶された開閉日時情報および蓋部の情報を薬格納器管理装置２１００に送信する。
【００６８】
ついで、薬格納器管理装置２１００は、ネットワーク１３００を介して薬格納器１１００と通信を行い、開閉日時情報および蓋部の情報を薬格納器１１００より受信し、受信された開閉日時情報および蓋部の情報に基づいて薬格納器１１００を持った患者の服薬情報を作成する。
【００６９】
なお、携帯端末装置１４００は、薬格納器１１００と、ネットワーク１３００を介して通信可能に接続され、薬格納器１１００からの情報を受信する機能を有し、例えば、ページャ、ＰＨＳ、携帯電話、ＰＤＡなどである。
【００７０】
ここで、薬格納器１１００は、開閉信号の発生元の蓋部の情報を開閉日時情報と対応付けて記憶部に記憶させてもよい。
【００７１】
また、薬格納器１１００は、服薬の日時を示す服薬日時情報を記憶させ、記憶された服薬日時情報に基づいて鳴動信号を発生し、発生された鳴動信号に基づいて鳴動してもよい。
【００７２】
また、薬格納器１１００は、記憶された服薬日時情報に基づいて服薬要求情報送信依頼信号を発生し、発生された服薬要求情報送信依頼信号に基づいて、服薬要求情報を、例えば、携帯端末装置１４００（例えば、ページャ、ＰＨＳ、携帯電話、ＰＤＡなど）に送信してもよい。これにより、携帯端末装置１４００（例えば、ページャ、ＰＨＳ、携帯電話、ＰＤＡなど）にメール等で服薬要求情報を通知し鳴動させることにより、患者の服薬の忘れを効果的に防ぐことができる。
【００７３】
［システム構成−薬格納器１１００］
まず、薬格納器１１００の構成について図２を参照して説明する。図２は、本発明の第１実施形態における薬格納器の構成の一例を示す図であり、該構成のうち本発明の第１実施形態に関係する部分のみを概念的に示している。
【００７４】
薬格納器１１００は、図２に示すように、概略的に、薬を格納するための薬格納部（ＭＡ−１）と、当該薬格納部（ＭＡ−１）に格納された薬を密封するための蓋部（ＭＡ−２）と、当該蓋部の開閉を検出する開閉センサ１１１２と、日時を計時するための計時部１１１０と、当該蓋部の開閉日時情報等を記憶するための記憶部１１０６と、薬格納器１１００の全体を統括的に制御するための制御部１１０２と、鳴動するための鳴動部１１１４と、通信制御をするための通信部１１０４を備えて構成されている。
【００７５】
さらに、開閉センサ１１１２、計時部１１１０、記憶部１１０６、制御部１１０２、鳴動部１１１４、および、通信部１１０４は、任意の通信路を介して通信可能に接続されている。
【００７６】
ここで、本第１実施形態において、薬格納部（ＭＡ−１）の数は、４個であるが、かかる場合に限定されず、１個または２個以上であってもよい。
【００７７】
また、鳴動部１１１４は、薬格納器１１００に任意に備えられるものである。
【００７８】
次に、本第１実施形態における本システムの構成について図３に示すブロック図に基づいて説明する。図３は、本発明の第１実施形態が適用される薬格納器１１００のシステム構成の一例を示すブロック図であり、該構成のうち本発明の第１実施形態に関係する部分のみを概念的に示している。
【００７９】
本第１実施形態における本システムは、概略的に、薬格納器１１００と、薬格納器管理装置２１００と、携帯端末装置１４００とを、ネットワーク１３００を介して通信可能に接続して構成されている。
【００８０】
図３において、ネットワーク１３００は、薬格納器１１００と、薬格納器管理装置２１００と、携帯端末装置１４００とを相互に接続する機能を有し、例えば、インターネット等である。
【００８１】
図３において、携帯端末装置１４００は、薬格納器１１００とネットワーク１３００を介して通信可能に接続され、薬格納器１１００からの情報を受信する機能を有し、例えば、ページャ、ＰＨＳ、携帯電話、ＰＤＡなどである。
【００８２】
図３において、薬格納器１１００は、概略的に、薬格納器１１００の全体を統括的に制御するＣＰＵ等の制御部１１０２、通信回線等に接続されるルータ等の通信装置（図示せず）に接続される通信部１１０４、蓋部の開閉を検出する開閉センサ１１１２、鳴動部１１１４、日時を計時する計時部１１１０、および、各種のデータベースやファイルなどを格納する記憶部１１０６を備えて構成されており、これら各部は任意の通信路を介して通信可能に接続されている。さらに、この薬格納器１１００は、ルータ等の通信装置（図示せず）および専用線等の有線または無線の通信回線を介して、各種の通信ネットワークに通信可能に接続されている。
【００８３】
図３の記憶部１１０６に格納される各種のデータベースやテーブルやファイル（開閉日時情報ファイル１１０６ａ、および、服薬日時情報ファイル１１０６ｂ）は、固定ディスク装置等のストレージ手段であり、各種処理に用いる各種のプログラムやテーブルやファイルやデータベースやウェブページ用ファイル等を格納する。
【００８４】
これら記憶部１１０６の各構成要素のうち、開閉日時情報ファイル１１０６ａは、開閉日時情報を格納する格納手段である。
【００８５】
図５は、開閉日時情報ファイル１１０６ａに格納される情報の一例を示す図である。この開閉日時情報ファイル１１０６ａに格納される情報は、図５に示すように、蓋部を一意に識別するための蓋番号と、当該蓋部の開閉日時情報とを相互に関連付けて格納されている。
【００８６】
また、服薬日時情報ファイル１１０６ｂは、服薬日時情報を格納する格納手段である。
【００８７】
図６は、服薬日時情報ファイル１１０６ｂに格納される情報の一例を示す図である。この服薬日時情報ファイル１１０６ｂに格納される情報は、図６に示すように、蓋部を一意に識別するための蓋番号と、服薬日時情報とを相互に関連付けて格納されている。
【００８８】
また、図３において、通信部１１０４は、薬格納器１１００とネットワーク１３００（またはルータ等の通信装置）との間における通信制御を行う。すなわち、通信部１１０４は、他の端末と通信回線を介してデータを通信する機能を有する。
【００８９】
また、図３において、計時部１１１０は、日時を計時する計時手段である。
【００９０】
また、図３において、開閉センサ１１１２は、蓋部の開閉を検出する開閉センサである。
【００９１】
また、図３において、鳴動部１１１４は、後述する鳴動信号発生部１１０２ｅにて発生された鳴動信号に基づいて鳴動する鳴動手段である。
【００９２】
また、図３において、制御部１１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１１０２は、機能概念的に、開閉信号発生部１１０２ａ、開閉日時情報記憶部１１０２ｂ、蓋部情報記憶部１１０２ｃ、服薬日時情報記憶部１１０２ｄ、鳴動信号発生部１１０２ｅ、送信部１１０２ｆ、服薬要求情報部１１０２ｇを含んで構成されている。
【００９３】
このうち、開閉信号発生部１１０２ａは、開閉センサ１１１２により検出された蓋部の開閉状態を示す開閉信号を発生する開閉信号発生手段である。
【００９４】
また、開閉日時情報記憶部１１０２ｂは、開閉信号発生部１１０２ａにより発生された開閉信号の発生日時情報を計時部１１１０にて計時し、当該発生日時情報を蓋部の開閉日時情報として開閉日時情報ファイル１１０６ａの所定の領域に記憶させる開閉日時情報記憶手段である。
【００９５】
また、蓋部情報記憶部１１０２ｃは、開閉信号の発生元の蓋部の情報を開閉日時情報と対応付けて開閉日時情報ファイル１１０６ａの所定の領域に記憶させる蓋部情報記憶手段である。
【００９６】
また、服薬日時情報記憶部１１０２ｄは、服薬の日時を示す服薬日時情報を服薬日時情報ファイル１１０６ｂの所定の領域に記憶させる服薬日時情報記憶手段である。
【００９７】
また、鳴動信号発生部１１０２ｅは、服薬日時情報記憶部１１０２ｂにより記憶された服薬日時情報に基づいて、鳴動部１１１４に対し鳴動信号を発生する鳴動信号発生手段である。
【００９８】
また、送信部１１０２ｆは、開閉日時情報ファイル１１０６ａに記憶された開閉日時情報および蓋部の情報を薬格納器管理装置２１００に送信する送信手段である。
【００９９】
また、服薬要求情報部１１０２ｇは、服薬日時情報記憶部１１０２ｄにより記憶された服薬日時情報に基づいて服薬要求情報送信依頼信号を発生し、発生された服薬要求情報送信依頼信号に基づいて、服薬要求情報を携帯端末装置１４００に送信する手段である。ここで、服薬要求情報部１１０２ｇは、図１７に示すように、服薬要求情報送信依頼信号発生部１１０２ｈ、および、服薬要求情報送信部１１０２ｉをさらに含んで構成される。
【０１００】
図１７は、本発明の第１実施形態が適用される薬格納器１１００の服薬要求情報部１１０２ｇの構成の一例を示すブロック図であり、該構成のうち本発明に関係する部分のみを概念的に示している。
【０１０１】
図１７において、服薬要求情報送信依頼信号発生部１１０２ｈは、服薬日時情報記憶部１１０２ｄにより記憶された服薬日時情報に基づいて服薬要求情報送信依頼信号を発生する服薬要求情報送信依頼信号手段である。
【０１０２】
また、服薬要求情報送信部１１０２ｉは、服薬要求情報送信依頼信号発生部１１０２ｈにより発生された服薬要求情報送信依頼信号に基づいて、服薬要求情報を、例えば、携帯端末装置１４００（例えば、ページャ、ＰＨＳ、携帯電話、ＰＤＡなど）に送信する服薬要求情報送信手段である。
【０１０３】
なお、これら各部によって行われる処理の詳細については、後述する。
【０１０４】
［システム構成−薬格納器管理装置２１００］
まず、本第１実施形態における本システムの構成について説明する。図４は、本発明の第１実施形態が適用される薬格納器管理装置２１００のシステム構成の一例を示すブロック図であり、該構成のうち本発明の第１実施形態に関係する部分のみを概念的に示している。
【０１０５】
本第１実施形態における本システムは、概略的に、薬格納器１１００と、薬格納器管理装置２１００と、携帯端末装置１４００とを、ネットワーク１３００を介して通信可能に接続して構成されている。
【０１０６】
なお、薬格納器１１００、ネットワーク１３００、および携帯端末装置１４００の構成については、上述した通りである。
【０１０７】
図４において、薬格納器管理装置２１００は、概略的に、薬格納器管理装置２１００の全体を統括的に制御するＣＰＵ等の制御部２１０２、通信回線等に接続されるルータ等の通信装置（図示せず）に接続される通信制御インターフェース部２１０４、入力装置２１１２や出力装置２１１４に接続される入出力制御インターフェース部２１０８、および、各種のデータベースやファイルなどを格納する記憶部２１０６を備えて構成されており、これら各部は任意の通信路を介して通信可能に接続されている。さらに、この薬格納器管理装置２１００は、ルータ等の通信装置（図示せず）および専用線等の有線または無線の通信回線を介して、各種の通信ネットワークに通信可能に接続されている。
【０１０８】
図４の記憶部２１０６に格納される各種のデータベースやテーブルやファイル（服薬情報ファイル２１０６ａ）は、固定ディスク装置等のストレージ手段であり、各種処理に用いる各種のプログラムやテーブルやファイルやデータベースやウェブページ用ファイル等を格納する。
【０１０９】
これら記憶部２１０６の各構成要素のうち、服薬情報ファイル２１０６ａは、服薬情報を格納する服薬情報格納手段である。
【０１１０】
図７は、服薬情報ファイル２１０６ａに格納される情報の一例を示す図である。この服薬情報ファイル２１０６ａに格納される情報は、図７に示すように、患者を一意に識別するための患者ＩＤと、薬格納器１１００の蓋部を一意に識別するための蓋番号と、服薬日時情報とを相互に関連付けて格納されている。
【０１１１】
また、図４において、通信制御インターフェース部２１０４は、薬格納器１１００とネットワーク１３００（またはルータ等の通信装置）との間における通信制御を行う。すなわち、通信制御インターフェース部２１０４は、他の端末と通信回線を介してデータを通信する機能を有する。
【０１１２】
また、図４において、入出力制御インターフェース部２１０８は、入力装置２１１２や出力装置２１１４の制御を行う。ここで、出力装置２１１４としては、モニタ（家庭用テレビを含む）の他、スピーカを用いることができる（なお、以下においては出力装置２１１４をモニタとして記載する場合がある）。また、入力装置２１１２としては、キーボード、マウス、および、マイク等を用いることができる。また、モニタも、マウスと協働してポインティングデバイス機能を実現する。
【０１１３】
また、図４において、制御部２１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部２１０２は、機能概念的に、受信部２１０２ａ、服薬情報作成部２１０２ｂを含んで構成されている。
【０１１４】
このうち、受信部２１０２ａは、開閉日時情報および蓋部の情報を薬格納器１１００より受信する受信手段である。
【０１１５】
また、服薬情報作成部２１０２ｂは、受信部２１０２ａにより受信された開閉日時情報および蓋部の情報に基づいて薬格納器１１００を持った患者の服薬情報を作成し、服薬情報ファイル２１０６ａの所定の領域に記憶させる服薬情報作成手段である。
【０１１６】
なお、これら各部によって行われる処理の詳細については、後述する。
【０１１７】
［システムの処理］
次に、このように構成された本第１実施形態における本システムの処理の一例について、以下に図８等を参照して詳細に説明する。
【０１１８】
（メイン処理）
図８は、本第１実施形態における本システムのメイン処理の一例を示すフローチャートである。
【０１１９】
まず、薬格納器１１００は、開閉センサ１１１２により、一つまたは二つ以上の薬格納部に格納された薬を密封するための一つまたは二つ以上の蓋部の開閉を検出する。
【０１２０】
ついで、薬格納器１１００は、開閉信号発生部１１０２ａの処理により、開閉センサ１１１２により検出された蓋部の開閉状態を示す開閉信号を発生する（ステップＳＡ−１）。
【０１２１】
ついで、薬格納器１１００は、開閉日時情報記憶部１１０２ｂの処理により、発生された開閉信号の発生日時を計時部１１１０にて計時し、当該発生日時情報を蓋部の開閉日時情報として開閉日時情報ファイル１１０６ａの所定の領域に記憶する（ステップＳＡ−２）。
【０１２２】
ここで、薬格納器１１００は、蓋部情報記憶部１１０２ｃの処理により、開閉信号の発生元の蓋部の情報を開閉日時情報と対応付けて開閉日時情報ファイル１１０６ａの所定の領域に記憶させてもよい。
【０１２３】
ついで、薬格納器１１００は、送信部１１０２ｆの処理により、開閉日時情報ファイル１１０６ａに記憶された開閉日時情報および蓋部の情報を、ネットワーク１３００を介して通信可能に接続された薬格納器管理装置２１００に送信する（ステップＳＡ−３）。
【０１２４】
ついで、薬格納器管理装置２１００は、受信部２１０２ａの処理により、送信された開閉日時情報および蓋部の情報を薬格納器１１００から受信する（ステップＳＡ−４）。
【０１２５】
ついで、薬格納器管理装置２１００は、服薬情報作成部２１０２ｂの処理により、受信された開閉日時情報および蓋部の情報に基づいて、服薬情報を作成し、当該服薬情報を服薬情報ファイル２１０６ａの所定の領域に記憶する（ステップＳＡ−５）。
【０１２６】
なお、本第１実施形態における本システムを構成する薬格納器１１００は、服薬の日時になると、服薬日時がきたことを鳴動して知らせる鳴動機能を有してもよい。
【０１２７】
（鳴動処理）
ここで、薬格納器１１００における鳴動機能を実現するための処理である鳴動処理について説明する。図９は、本第１実施形態における本システムの鳴動処理の一例を示すフローチャートである。
【０１２８】
まず、薬格納器１１００は、服薬日時情報記憶部１１０２ｄの処理により、服薬日時を服薬日時情報ファイル１１０６ｂの所定の領域に記憶させる（ステップＳＢ−１）。
【０１２９】
ついで、服薬日時になると、薬格納器１１００は、鳴動信号発生部１１０２ｅの処理により、鳴動信号を発生する（ステップＳＢ−２）。
【０１３０】
ついで、薬格納器１１００は、鳴動部１１１４により、鳴動する（ステップＳＢ−３）。
【０１３１】
これにて、鳴動処理が終了する。
【０１３２】
また、本第１実施形態における本システムを構成する薬格納器１１００は、服薬日時情報に基づいて服薬要求情報送信依頼信号を発生し、発生された服薬要求情報送信依頼信号に基づいて、服薬要求情報を、例えば、携帯端末装置１４００（例えば、ページャ、ＰＨＳ、携帯電話、ＰＤＡなど）に送信してもよい。
【０１３３】
ここで、服薬要求情報部１１０２ｇにて行われる服薬要求情報処理について説明する。
【０１３４】
まず、薬格納器１１００は、服薬要求情報送信依頼信号発生部１１０２ｈの処理により、服薬日時情報記憶部１１０２ｄにより記憶された服薬日時情報に基づいて服薬要求情報送信依頼信号を発生する。
【０１３５】
ついで、薬格納器１１００は、服薬要求情報送信部１１０２ｉの処理により、服薬要求情報送信依頼信号発生部１１０２ｈにより発生された服薬要求情報送信依頼信号に基づいて、服薬要求情報を、例えば、携帯端末装置１４００（例えば、ページャ、ＰＨＳ、携帯電話、ＰＤＡなど）に送信する。
【０１３６】
これにより、携帯端末装置１４００（例えば、ページャ、ＰＨＳ、携帯電話、ＰＤＡなど）にメール等で服薬要求情報を通知し鳴動させることにより、患者の服薬の忘れを効果的に防ぐことができる。
【０１３７】
これにて、服薬要求情報処理が終了する。
【０１３８】
これにて、メイン処理が終了する。
【０１３９】
以上、第１実施形態の説明を終了する。
【０１４０】
第２実施形態
［本発明の概要］
以下、本発明の第２実施形態の概要について説明し、その後、本発明の第２実施形態の構成および処理等について詳細に説明する。図１０は本発明の第２実施形態における薬格納器および薬格納器管理装置の概要を示す図であり、該概要のうち本発明の第２実施形態に関係する部分のみを概念的に示している。
【０１４１】
まず、図１０に示すように、薬格納器（ＭＢ−１）に表示されている服薬用識別情報を薬格納器管理装置３１００の入力装置である、例えば、光学式リーダー装置３１１２を用いて検出し、薬格納器管理装置３１００にて検出された服薬用識別情報から服薬情報を作成し、記憶する。
【０１４２】
［薬格納器（ＭＢ−１）の構成］
ここで、薬格納器（ＭＢ−１）の構成について図１１を参照して説明する。図１１は、本発明の第２実施形態における薬格納器の構成の一例を示す図であり、該構成のうち本発明の第２実施形態に関係する部分のみを概念的に示している。
【０１４３】
薬格納器（ＭＢ−１）は、図１１に示すように、概略的に、薬を格納するための薬格納部（ＭＢ−２）と、当該薬格納部（ＭＢ−２）に格納された薬を密封するための蓋部（ＭＢ−３）と、患者を識別する情報と薬を識別する情報と服薬日時情報のうち少なくとも一つを含む、当該蓋部（ＭＢ−３）に表示される服薬用識別情報（ＭＢ−４）を備えて構成されている。
【０１４４】
ここで、服薬用識別情報（ＭＢ−４）の表示は、例えば、蓋部（ＭＢ−３）に服薬用識別情報（ＭＢ−４）を直接印刷すること、印刷された服薬用識別情報（ＭＢ−４）を蓋部（ＭＢ−３）に貼付すること等により表示してもよい。
【０１４５】
また、服薬用識別情報（ＭＢ−４）には、例えば、文字、バーコード等を用いてもよい。ここで、服薬用識別情報（ＭＢ−４）について図１１および図１２を参照して説明する。
【０１４６】
図１２は、文字により表された服薬用識別情報の一例を示す図である。また、図１３は、バーコード形式により表された服薬用識別情報の一例を示す図である。
【０１４７】
図１２に示すように、患者を一意に識別するための患者ＩＤと、薬を一意に識別するための薬ＩＤと、服薬日時のうち少なくとも一つを含む服薬用識別情報が、文字により表されている。
【０１４８】
なお、図１２では、一例として、患者ＩＤを「Ｐ００１」、薬ＩＤを「Ｍ００１」、服薬日時を「２００１．０１．０１＿０９．１６（２００１年１月１日の９時１６分）」で表している。
【０１４９】
また、図１３に示すように、患者を一意に識別するための患者ＩＤと、薬を一意に識別するための薬ＩＤと、服薬する日時を示す服薬日時のうち少なくとも一つを含む服薬用識別情報が、バーコード形式により表されている。
【０１５０】
ここで、図１３では、一例として、ＯＣＲ（Ｏｐｔｉｃａｌ  Ｃｈａｒａｃｔｅｒ  Ｒｅｃｏｇｎｉｔｉｏｎ：光学的文字認識）によるバーコードを挙げたが、かかる場合に限定されず、他のコード形式を用いてもよい。
【０１５１】
なお、図１３に示されるコード番号「ＡＢＣ０００００００１」は、一例として記載したものである。
【０１５２】
［薬格納器管理装置３１００の構成］
次に、薬格納器管理装置３１００の構成について説明する。図１４は、本発明の第２実施形態が適用される薬格納器管理装置３１００の構成の一例を示すブロック図であり、該構成のうち本発明の第２実施形態に関係する部分のみを概念的に示している。
【０１５３】
図１４において、薬格納器管理装置３１００は、概略的に、薬格納器管理装置３１００の全体を統括的に制御するＣＰＵ等の制御部３１０２、入力装置３１１２や出力装置３１１４に接続される入出力制御インターフェース部３１０８、および、各種のデータベースやファイルなどを格納する記憶部３１０６を備えて構成されており、これら各部は任意の通信路を介して通信可能に接続されている。さらに、この薬格納器管理装置３１００は、ルータ等の通信装置（図示せず）および専用線等の有線または無線の通信回線を介して、各種の通信ネットワークに通信可能に接続されてもよい。
【０１５４】
図１４の記憶部３１０６に格納される各種のデータベースやテーブルやファイル（服薬情報ファイル３１０６ａ）は、固定ディスク装置等のストレージ手段であり、各種処理に用いる各種のプログラムやテーブルやファイルやデータベースやウェブページ用ファイル等を格納する。
【０１５５】
これら記憶部３１０６の各構成要素のうち、服薬情報ファイル３１０６ａは、服薬情報を格納する格納手段である。
【０１５６】
図１５は、服薬情報ファイル３１０６ａに格納される情報の一例を示す図である。この服薬情報ファイル３１０６ａに格納される情報は、図１５に示すように、患者を一意に識別するための患者ＩＤと、薬を一意に識別するための薬ＩＤと、服薬日時情報とを相互に関連付けて格納されている。
【０１５７】
また、図１４において、入出力制御インターフェース部３１０８は、入力装置３１１２や出力装置３１１４の制御を行う。ここで、出力装置３１１４としては、モニタ（家庭用テレビを含む）の他、スピーカ等を用いることができる（なお、以下においては出力装置３１１４をモニタとして記載する場合がある）。また、入力装置３１１２としては、スキャナー、バーコードリーダーなどの光学式リーダー装置、キーボード、マウス、および、マイク等を用いることができる。また、モニタも、マウスと協働してポインティングデバイス機能を実現する。
【０１５８】
また、図１４において、制御部３１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部３１０２は、機能概念的に、服薬用識別情報検出部３１０２ａ、服薬情報作成部３１０２ｂを含んで構成されている。
【０１５９】
このうち、服薬用識別情報検出部３１０２ａは、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示する薬格納器から、服薬用識別情報を検出する服薬用識別情報検出手段である。
【０１６０】
また、服薬情報作成部３１０２ｂは、服薬用識別情報検出部３１０２ａにより検出された服薬用識別情報から服薬情報を作成する服薬情報作成手段である。
【０１６１】
なお、これら各部によって行われる処理の詳細については、後述する。
【０１６２】
［薬格納器管理装置３１００の処理］
次に、このように構成された本第２実施形態における薬格納器管理装置３１００の処理の一例について、以下に図１６等を参照して詳細に説明する。
【０１６３】
図１６は、本第２実施形態における薬格納器管理装置３１００のメイン処理の一例を示すフローチャートである。
【０１６４】
まず、薬格納器管理装置３１００は、服薬用識別情報検出部３１０２ａの処理により、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示する薬格納器から、服薬用識別情報を検出する（ステップＳＣ−１）。
【０１６５】
ここで、服薬用識別情報の検出には、光学式リーダー装置、具体的には、例えば、スキャナーやバーコードリーダー等を用いてもよい。
【０１６６】
ついで、薬格納器管理装置３１００は、服薬情報作成部３１０２ｂの処理により、服薬用識別情報から服薬情報を作成し、服薬情報ファイル３１０６ａの所定の領域に記憶する（ステップＳＣ−２）。
【０１６７】
これにて、メイン処理が終了する。
【０１６８】
以上、第２実施形態の説明を終了する。
【０１６９】
他の実施の形態
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１７０】
例えば、薬格納器管理装置２１００および薬格納器管理装置３１００がスタンドアローンの形態で処理を行う場合を一例に説明したが、薬格納器管理装置２１００および薬格納器管理装置３１００とは別筐体で構成されるクライアント端末からの要求に応じて処理を行い、その処理結果を当該クライアント端末に返却するように構成してもよい。
【０１７１】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１７２】
この他、上記文書中や図面中で示した処理手順、制御手順、具体的名称、各種の登録データや検索条件等のパラメータを含む情報、画面例、データベース構成については、特記する場合を除いて任意に変更することができる。
【０１７３】
また、薬格納器１１００、薬格納器管理装置２１００、および、薬格納器管理装置３１００に関して、図示の各構成要素は機能概念的なものであり、必ずしも物理的に図示の如く構成されていることを要しない。
【０１７４】
例えば、薬格納器１１００、薬格納器管理装置２１００、および、薬格納器管理装置３１００の各部または各装置が備える処理機能、特に制御部１１０２、制御部２１０２、および、制御部３１０２にて行なわれる各処理機能については、その全部または任意の一部を、ＣＰＵ（Ｃｅｎｔｒａｌ  ＰｒｏｃｅｓｓｉｎｇＵｎｉｔ）および当該ＣＰＵにて解釈実行されるプログラムにて実現することができ、あるいは、ワイヤードロジックによるハードウェアとして実現することも可能である。
【０１７５】
すなわち、ＲＯＭまたはＨＤなどの記憶部１１０６、記憶部２１０６、および、記憶部３１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１１０２、制御部２１０２、および、制御部３１０２を構成する。
【０１７６】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７７】
記憶部１１０６、記憶部２１０６、および、記憶部３１０６に格納される各種のファイル等（記憶部１１０６：開閉日時情報ファイル１１０６ａおよび服薬日時情報ファイル１１０６ｂ、記憶部２１０６：服薬情報ファイル２１０６ａ、記憶部３１０６：服薬情報ファイル３１０６ｂ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１７８】
また、薬格納器管理装置２１００および薬格納器管理装置３１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１７９】
また、薬格納器管理装置２１００および薬格納器管理装置３１００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１８０】
さらに、ネットワーク１３００は、薬格納器１１００と、薬格納器管理装置２１００と、携帯端末装置１４００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０１８１】
【発明の効果】
以上、詳細に説明したように、本発明によれば、一つまたは二つ以上の薬格納部に格納された薬を密封するための一つまたは二つ以上の蓋部の開閉を検出し、当該検出された蓋部の開閉状態を示す開閉信号を発生し、日時を計時し、発生された開閉信号の発生日時情報を計時し、当該発生日時情報を蓋部の開閉日時情報として記憶部に記憶させるので、患者に負担をかけることなく開閉日時情報を簡易に記憶することができる薬格納器を提供することができる。
【０１８２】
また、本発明によれば、開閉信号の発生元の蓋部の情報を開閉日時情報と対応付けて記憶部に記憶させるので、二つ以上の薬格納部を持つ薬格納器においても、開閉日時情報および蓋部の情報を簡易に記憶することができる薬格納器、薬格納器管理システム、および、薬格納器管理方法を提供することができる。
【０１８３】
また、本発明によれば、服薬の日時を示す服薬日時情報を記憶部に記憶させ、記憶された服薬日時情報に基づいて鳴動信号を発生し、発生された鳴動信号に基づいて鳴動するので、患者の服薬の忘れを効果的に防ぐことができる薬格納器、薬格納器管理システム、および、薬格納器管理方法を提供することができる。
【０１８４】
また、本発明によれば、記憶された服薬日時情報に基づいて服薬要求情報送信依頼信号を発生し、発生された服薬要求情報送信依頼信号に基づいて、服薬要求情報を送信するので、携帯端末装置（例えば、ページャ、ＰＨＳ、携帯電話、ＰＤＡなど）にメール等で服薬要求情報を通知し鳴動させることにより、患者の服薬の忘れを効果的に防ぐことができる薬格納器、薬格納器管理システム、および、薬格納器管理方法を提供することができる。
【０１８５】
また、本発明によれば、薬格納器は、一つまたは二つ以上の薬格納部に格納された薬を密封するための一つまたは二つ以上の蓋部の開閉を検出し、当該検出された蓋部の開閉状態を示す開閉信号を発生し、日時を計時し、発生された開閉信号の発生日時情報を計時し、当該発生日時情報を蓋部の開閉日時情報として記憶部に記憶させ、記憶部に記憶された開閉日時情報および蓋部の情報を薬格納器管理装置に送信し、薬格納器管理装置は、送信された開閉日時情報および蓋部の情報を薬格納器より受信し、受信された開閉日時情報および蓋部の情報に基づいて薬格納器を持った患者の服薬情報を作成するので、患者に負担をかけることなく服薬情報を簡易に収集することができる薬格納器管理システム、および、薬格納器管理方法を提供することができる。
【０１８６】
また、患者としては、服薬情報が正確に把握されることで、より状況に適した治療を受けることができる薬格納器管理システム、および、薬格納器管理方法を提供することができる。
【０１８７】
また、本発明によれば、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示するので、患者は服薬用識別情報を容易に確認することができる薬格納器を提供することができる。
【０１８８】
また、本発明によれば、蓋部に服薬用識別情報を直接印刷することにより表示するので、服薬用識別情報を簡易に表示することができる薬格納器、薬格納器管理装置、および、薬格納器管理方法を提供することができる。
【０１８９】
また、本発明によれば、印刷された服薬用識別情報を蓋部に貼付することにより表示するので、服薬用識別情報を簡易に表示することができる薬格納器、薬格納器管理装置、および、薬格納器管理方法を提供することができる。
【０１９０】
また、本発明によれば、バーコード形式で表された情報であるので、既存のバーコード読取装置を用いて服薬用識別情報を簡易に収集することができる薬格納器、薬格納器管理装置、および、薬格納器管理方法を提供することができる。
【０１９１】
また、本発明によれば、一つまたは二つ以上の薬格納部に格納された薬を密封するための一つまたは二つ以上の蓋部を備え、患者を識別する情報と、薬を識別する情報と、服薬日時情報のうち少なくとも一つを含む服薬用識別情報を蓋部に表示する薬格納器から、服薬用識別情報を検出し、検出された服薬用識別情報から服薬情報を作成するので、患者に負担をかけることなく服薬情報を簡易に収集することができる薬格納器管理装置、および、薬格納器管理方法を提供することができる。
【０１９２】
また、患者としては、服薬情報が正確に把握されることで、より状況に適した治療を受けることができる薬格納器管理装置、および、薬格納器管理方法を提供することができる。
【０１９３】
また、本発明によれば、光学式リーダー装置を用いて服薬用識別情報を検出するので、正確に服薬用識別情報を検出することができる薬格納器管理装置、および、薬格納器管理方法を提供することができる。
【図面の簡単な説明】
【図１】本発明の第１実施形態における薬格納器管理システムの概要を示す図である。
【図２】本発明の第１実施形態における薬格納器の構成を示す図である。
【図３】本発明の第１実施形態が適用される薬格納器１１００のシステム構成の一例を示すブロック図である。
【図４】本発明の第１実施形態が適用される薬格納器管理装置２１００のシステム構成の一例を示すブロック図である。
【図５】開閉日時情報ファイル１１０６ａに格納される情報の一例を示す図である。
【図６】服薬日時情報ファイル１１０６ｂに格納される情報の一例を示す図である。
【図７】服薬情報ファイル２１０６ａに格納される情報の一例を示す図である。
【図８】本第１実施形態における本システムのメイン処理の一例を示すフローチャートである。
【図９】本第１実施形態における本システムの鳴動処理の一例を示すフローチャートである。
【図１０】本発明の第２実施形態における薬格納器および薬格納器管理装置の概要を示す図である。
【図１１】本発明の第２実施形態における薬格納器の構成の一例を示す図である。
【図１２】文字により表された服薬用識別情報の一例を示す図である。
【図１３】バーコード形式により表された服薬用識別情報の一例を示す図である。
【図１４】本発明の第２実施形態が適用される薬格納器管理装置３１００の構成の一例を示すブロック図である。
【図１５】服薬情報ファイル３１０６ａに格納される情報の一例を示す図である。
【図１６】本第２実施形態における薬格納器管理装置３１００のメイン処理の一例を示すフローチャートである。
【図１７】本発明の第１実施形態が適用される薬格納器１１００の服薬要求情報部１１０２ｇの構成の一例を示すブロック図である。
【符号の説明】
１１００  薬格納器
１１０２  制御部
１１０２ａ  開閉信号発生部
１１０２ｂ  開閉日時情報記憶部
１１０２ｃ  蓋部情報記憶部
１１０２ｄ  服薬日時情報記憶部
１１０２ｅ  鳴動信号発生部
１１０２ｆ  送信部
１１０２ｇ  服薬要求情報部
１１０２ｈ  服薬要求情報送信依頼信号発生部
１１０２ｉ  服薬要求情報送信部
１１０４  通信部
１１０６  記憶部
１１０６ａ  開閉日時情報ファイル
１１０６ｂ  服薬日時情報ファイル
１１１０  計時部
１１１２  開閉センサ
１１１４  鳴動部
２１００  薬格納器管理装置
２１０２  制御部
２１０２ａ  受信部
２１０２ｂ  服薬情報作成部
２１０４  通信制御インターフェース部
２１０６  記憶部
２１０６ａ  服薬情報ファイル
２１０８  入出力制御インターフェース部
２１１２  入力装置
２１１４  出力装置
１３００  ネットワーク
１４００  携帯端末装置
３１００  薬格納器管理装置
３１０２  制御部
３１０２ａ  服薬用識別情報検出部
３１０２ｂ  服薬情報作成部
３１０６  記憶部
３１０６ａ  服薬情報ファイル
３１０８  入出力制御インターフェース部
３１１２  入力装置
３１１４  出力装置
【図１】
2004283248.tif 000003
【図２】
2004283248.tif 000004
【図３】
2004283248.tif 000005
【図４】
2004283248.tif 000006
【図５】
2004283248.tif 000007
【図６】
2004283248.tif 000008
【図７】
2004283248.tif 000009
【図８】
2004283248.tif 000010
【図９】
2004283248.tif 000011
【図１０】
2004283248.tif 000012
【図１１】
2004283248.tif 000013
【図１２】
2004283248.tif 000014
【図１３】
2004283248.tif 000015
【図１４】
2004283248.tif 000016
【図１５】
2004283248.tif 000017
【図１６】
2004283248.tif 000018
【図１７】
2004283248.tif 000019